(57)【要約】【課題】ホルダー本体の深さを深くすることなく、小型のホルダー本体により飲料容器を安定して保持できるようにする。【解決手段】上部が開口し下部底面に向かってやや窄まった断面ほぼ正方形状を有する有底の筒状のホルダー本体２ａを設け、このホルダー本体２ａの４つの各側面の中央に上端から底面端部にわたって矩形状の切欠部２ｃを形成する。このとき、ホルダー本体２ａの上部開口における正方形の一辺の長さを、想定し得る最大径を有する飲料容器の下部直径とほぼ同じ寸法に設定する。【選択図】図２
2017081415.tif 000002
【特許請求の範囲】
【請求項１】
車室内に飲料容器を収容するために設けられる車載ドリンクホルダー構造において、
上部が開口し下部底面に向かってやや窄まった断面ほぼ正方形状または正方形の各辺が外向きに膨らんだ円弧を成す矩形状を有する有底の筒状のホルダー本体と、
前記本体の各側面の少なくとも下部に形成された切欠部または外向きの凸部とを備え、
前記ホルダー本体の前記上部開口における正方形または正方形の各辺が円弧を成す矩形の一辺が、前記飲料容器の下部直径とほぼ同じ寸法に設定されていることを特徴とする車載ドリンクホルダー構造。
【発明の詳細な説明】
【技術分野】
【０００１】
本発明は、車室内に飲料容器を収容するために設けられる車載ドリンクホルダー構造に関する。
【背景技術】
【０００２】
従来、自動車等の車両には飲料容器を収容するドリンクホルダーが設けられ、例えば特許文献１に記載のように、横断面形状が略四角形のカップホルダーの収容凹部に、四隅部に軸心側に突出した支持凸部を設け、各支持凸部の支持面を、飲料容器の外周面に沿うように湾曲させ、収容凹部内に飲料容器を保持するものが提案されている。
【先行技術文献】
【特許文献】
【０００３】
【特許文献１】特開２０１４−１２１９８１号公報（段落００２５〜００２８および図２から図４参照）
【発明の概要】
【発明が解決しようとする課題】
【０００４】
しかし、上記した特許文献１に記載のカップホルダーの場合、各支持凸部により容器を保持するものの支持凸部は飲料容器の外周面に当接せずに隙間がある状態で収容凹部内に保持するため、カップホルダーが大型になり、飲料容器をより安定して保持するにはカップホルダーの深さを深くしなければならず、カップホルダーが一層大型化して余分な設置スペースが必要になるという問題がある。また、このような構造のカップホルダーを、車両のシートバックに設けられる折り畳み式のテーブルに設置するには、カップホルダーの深さが深いことから設置スペースが嵩み、折り畳み式テーブルに設置するには不向きである。一方、カップホルダーの深さを浅くして設置スペースを低減した場合には、飲料容器を安定して保持できなくなる。
【０００５】
本発明は、ホルダー本体の深さを深くすることなく、小型のホルダー本体により飲料容器を安定して保持できるようにすることを目的とする。
【課題を解決するための手段】
【０００６】
上記した目的を達成するために、本発明の車載ドリンクホルダー構造は、車室内に飲料容器を収容するために設けられる車載ドリンクホルダー構造において、上部が開口し下部底面に向かってやや窄まった断面ほぼ正方形状または正方形の各辺が外向きに膨らんだ円弧を成す矩形状を有する有底の筒状のホルダー本体と、前記本体の各側面の少なくとも下部に形成された切欠部または外向きの凸部とを備え、前記ホルダー本体の前記上部開口における正方形または正方形の各辺が円弧を成す矩形の一辺が、前記飲料容器の下部直径とほぼ同じ寸法に設定されていることを特徴としている。
【発明の効果】
【０００７】
本発明によれば、ホルダー本体を、上部が開口し下部底面に向かってやや窄まった断面ほぼ正方形状または正方形の各辺が外向きに膨らんだ円弧を成す形状にし、このホルダー本体の各側面の少なくとも下部に切欠部を形成し、ホルダー本体の上部開口におけるほぼ正方形または正方形の各辺が円弧を成す矩形の一辺が、飲料容器の下部直径とほぼ同じ寸法になるように設定したため、ホルダー本体の深さを深くしなくても、飲料容器の外周が各切欠部または各凸部の端縁に当接することによって飲料容器を保持することができ、小型のホルダー本体により飲料容器を安定して保持することが可能になる。そのため、従来のような支持凸部がなく浅い小型のホルダー本体ゆえに、車両のシートバックに設置される折り畳み式テーブルにドリンクホルダーを設置する場合であっても、大きな設置スペースを取ることなくドリンクホルダーをテーブルに装着することが可能になる。
【０００８】
このとき、ホルダー本体の上部開口におけるほぼ正方形または正方形の各辺が円弧を成す形状の一辺は、想定される最大径を有する飲料容器の下部直径とほぼ同じ寸法に設定しておくのが望ましい。
【図面の簡単な説明】
【０００９】
【図１】本発明に係る車載ドリンクホルダー構造を折り畳み式テーブルに設けた場合の一実施形態の斜視図である。
【図２】図１のホルダー本体の斜視図である。
【図３】図１のホルダー本体の平面図である。
【図４】飲料容器を収容した状態における一部切断正面図である。
【図５】図４の一部の平面図である。
【図６】図５の一部の切断側面図である。
【図７】図４と異なる飲料容器を収容した状態における一部切断正面図である。
【発明を実施するための形態】
【００１０】
本発明に係る車載ドリンクホルダー構造を折り畳み式テーブルに設けた一実施形態について、図１ないし図６を参照して詳細に説明する。なお、本実施形態でいう前後、左右とはシートに着座した状態で見た前後、左右を意味する。
【００１１】
図１に示すように、自動車（車両）の後部シートのシートバック（図示せず）に折り畳み式テーブル１が回動自在に設けられ、このテーブル１の所定位置に形成されたほぼ四角形のホルダー装着用の開口部１ａに、ペットボトルやアルミ缶、スチール缶、カップ等の飲料容器を収容、保持するドリンクホルダー２が組み付けられて設置されている。
【００１２】
テーブル１は、例えば左右の両側面の前端部に植設された支軸１ｂを回転軸として、シートバックの背面の所定位置に回動自在に取り付けられ、テーブル１を使用する場合には、テーブル１を図１中の１点鎖線に示す格納状態からほぼ水平状態に回動することで使用可能な状態に保持され、テーブル１を使用しないときには、テーブル１を図１中の実線に示す使用状態から１点鎖線のように回動することにより格納状態に保持される。ここで、テーブル１をほぼ水平状態に回動したときにテーブル１を水平状態に保持するロック機構が設けられており、このロック機構のロックを解除することによって、テーブル１を格納状態に回動することができる。
【００１３】
ところで、ドリンクホルダー２は、図２、図３に示すように、上部が開口し下部底面に向かってやや窄まった断面ほぼ正方形状を有する有底の筒状のホルダー本体２ａと、ホルダー本体２ａの上部開口周縁に一体に設けられた取付フランジ２ｂと、ホルダー本体２ａの４つの各側面の中央に上端から底面端部にわたって矩形状に形成された切欠部２ｃとを備えている。また、ホルダー本体２ａの上部開口における正方形の一辺の長さが、想定し得る最大径を有する飲料容器Ｐ（図４参照）の下部直径とほぼ同じ寸法に設定されている。
【００１４】
そして、ドリンクホルダー２の取付フランジ２ｂがテーブル１のホルダー装着用の開口部１ａ内に埋設されてホルダー本体２ａがテーブル１に組み付けられ、テーブル１をほぼ水平な使用状態に回動したときに、図４に示すように、ホルダー本体２ａの内部に飲料容器Ｐの下端部を収容できる状態になる。
【００１５】
このとき、ホルダー本体２ａの上部開口の正方形の一辺が、想定し得る最大径を有する飲料容器Ｐの下部直径とほぼ同じ長さに設定されていることから、図４ないし図６に示すように、飲料容器Ｐをホルダー本体２ａ内に収容したときに、飲料容器Ｐの下端部の外周面が各切欠部２ｃの上下方向の端縁２ｃ１に当接するため、ホルダー本体２の深さを深くしなくても、各切欠部２ｃの上下方向の端縁２ｃ１に飲料容器Ｐの外周が線当り状態になり、浅いホルダー本体２ａの内部に飲料容器Ｐをがたつくことなく安定して保持できる。
【００１６】
また、飲料容器Ｐよりも下部の直径が小さいアルミ缶やスチール缶などの飲料容器Ｐ１を収容する場合には、例えば図７に示すように、飲料容器Ｐ１を傾けた状態にホルダー本体２ａ内に収容すればよく、その際、ホルダー本体２ａのいずれかの切欠部２ｃの上下方向の端縁２ｃ１に飲料容器Ｐ１の外周が線当り状態で当接するとともに、当該切欠部２ｃに対向する位置の切欠部２ｃの下部における水平方向の端縁２ｃ２に飲料容器Ｐ１の底面が当接するように収容することにより、飲料容器Ｐ１をホルダー本体２ａにがたつくことなく安定して保持できる。
【００１７】
したがって、上記した実施形態によれば、ホルダー本体２ａを、上部が開口し下部底面に向かってやや窄まった断面ほぼ正方形状にし、このホルダー本体２ａの４つの各側面の上端から底面端部にわたって切欠部２ｃをそれぞれ形成し、ホルダー本体２ａの上部開口における正方形の一辺を、飲料容器Ｐの下部直径とほぼ同じ長さにしたため、ホルダー本体２ａの深さを深くしなくても、飲料容器Ｐの外周が各切欠部２ｃの端縁に線当り状態で当接することにより、飲料容器Ｐを保持することが可能になり、従来のような支持凸部のない小型の浅いホルダー本体２ａにより飲料容器Ｐを安定して保持することができる。
【００１８】
そのため、浅い小型のホルダー本体２ａで飲料容器Ｐを安定しいて保持できるため、車両のシートバックに設置される折り畳み式テーブル１に対し、従来のように大きな設置スペースを取ることなくドリンクホルダー２を装着することができ、折り畳み式テーブル１の使用や格納に際して支障をきたすおそれもない。
【００１９】
なお、本発明は上記した実施形態に限定されるものではなく、その趣旨を逸脱しない限りにおいて上述したもの以外に種々の変更を行なうことが可能である。
【００２０】
例えば、上記した実施形態では、車両の後部シートのシートバックに並設される折り畳み式テーブル１にドリンクホルダー２を装着した例を示したが、ドリンクホルダー２はシートバックに装着される場合に限定されるものではなく、設置スペースが許容される限り車両のどこに設置してもよい。
【００２１】
また、ホルダー本体２ａは、横断面における正方形の各辺が外向きに膨らんだ円弧を成す矩形状を有するものであってもよい、さらに、切欠部２ｃに代えて、ホルダー本体２ａの各側面に外向きに突出した凸部を、各側面の上端から下端にわたって形成してもよい。
【００２２】
また、上記した実施形態では、ホルダー本体２ａの４つの各側面の中央に上端から底面端部にわたって矩形状の切欠部２ｃを形成した場合について説明したが、切欠部２ｃや外向きの凸部は、下部底面に向かってやや窄まったホルダー本体２ａの各側面の少なくとも下部に形成されていればよい。
【符号の説明】
【００２３】
２    …ドリンクホルダー
２ａ  …ホルダー本体
２ｃ  …切欠部
Ｐ，Ｐ１  …飲料容器
【図１】
2017081415.tif 000003
【図２】
2017081415.tif 000004
【図３】
2017081415.tif 000005
【図４】
2017081415.tif 000006
【図５】
2017081415.tif 000007
【図６】
2017081415.tif 000008
【図７】
2017081415.tif 000009